(57)【要約】開口（３２）を有する前面壁（３０）を有するボディ（２２）と打撃プレートインサート（４０）を有するゴルフクラブヘッド（２０）が開示される。ボディ（２２）は、好ましくは、マグネシウム合金やアルミニウム合金のような軽金属から成る。ボディ（２２）のリボン（２８）は、後部重り部材（５０）を配置するための凹所（５２）を持つ。ゴルフクラブヘッド（２０）は、好ましくは、３００立方センチメートルから５００立方センチメートルの間の体積を持つ。ゴルフクラブヘッド（２０）は、好ましくは、１０５グラムから３００グラムの間の質量を持つ。
2008501405.tif 000002
【特許請求の範囲】
【請求項１】
クラウンと、ソールと、開口を有する前面壁と、開口と反対側の外部凹所を持つリボンとを有し、マグネシウム合金、アルミニウム合金、マグネシウム及びアルミニウムから成る群から選択される金属材料から成るボディと；
前記開口に配置される打撃プレートインサートであって、厚さが０．０４０インチから０．２５０インチの範囲であり、６０グラムから１００グラムの範囲の質量を有する打撃プレートインサートと；
前記リボンの凹所内に配置され、質量が５グラムから４０グラムの範囲にあり、金属材料からなる重り部材を有し；
体積が３３０立方センチメートルから５００立方センチメートルの範囲にある、
ゴルフクラブヘッド。
【請求項２】
前記打撃プレートインサートは、鍛造金属材料、成形された金属材料、機械加工された金属材料及び鋳造金属材料からなる群から選択される材料から成る請求項１に記載のゴルフクラブヘッド。
【請求項３】
ゴルフクラブヘッドのIzz軸の周りの慣性モーメントが３０００g-cm2より大きい請求項１に記載のゴルフクラブヘッド。
【請求項４】
前記打撃プレートインサートは、チタニウム、チタニウム合金、スチール合金及びアモルファス金属からなる群から選択される材料から成る請求項１に記載のゴルフクラブヘッド。
【請求項５】
前記重り部材は、スピンキャストピュータ、スチール、真鍮、タングステン、銅及びこれらの合金からなる群から選択される材料から成る請求項１に記載のゴルフクラブヘッド。
【請求項６】
反発係数が０．８０から０．９４である請求項１乃至５に記載のいずれかに記載のゴルフクラブヘッド。
【請求項７】
第１半ボディと、第２半ボディと、打撃プレートを有し、第１半ボディと第２半ボディは、マグネシウム合金、アルミニウム合金、マグネシウム及びアルミニウムからなる群から選択される材料から成り、打撃プレートインサートは金属材料から成り、
ゴルフクラブヘッドは４５０立方センチメートルより小さい体積と、１９０グラムから２２５グラムの範囲の質量を有し、ゴルフクラブヘッドの重心を通るIzz軸の周りの慣性モーメントが３０００g-cm2より大きく、ゴルフクラブヘッドの重心を通るIｙｙ軸の周りの慣性モーメントが３０００g-cm2より大きいゴルフクラブヘッド。
【発明の詳細な説明】
【技術分野】
【０００１】
本発明は、金属性打撃プレートインサートを持つゴルフクラブヘッドに関する。本発明は、特に、軽量のボディと金属性打撃プレートインサートを持つゴルフクラブヘッドに関する。
【背景技術】
【０００２】
これまで、従来技術はいくつかの複数材料ゴルフクラブヘッドを開示してきた。
【０００３】
フェースプレートを可撓性にする目的ではないが、米国特許第5,344,140号、「ゴルフクラブヘッドとその製法」はフェースプレートについて、高温鍛造材料の使用について開示している。このAnderson のフェースプレートは、スチール、チタンを含むいくつかの高温鍛造金属材料から成っている。この高温鍛造プレートは０．０９０から０．１３０インチの間の均一の厚さを有している。
【０００４】
クラブヘッドにおける鍛造材料に関しての他の発明として、Su 他の米国特許第5,776,011号、「ゴルフクラブヘッド」がある。Su は、各片が鍛造材料からなる３つの部片からなるクラブヘッドを開示している。Su の主たる目的は、ロフト角の精度をより高くし、構造的な脆弱さを減少することにある。Aizawa の米国特許第5,346,216号、「ゴルフクラブヘッド」は湾曲した打撃面を有するフェースプレートを開示している。
【０００５】
Daniel の米国特許第1,167,387号は、ボディシェルがアルミニウム金属からなり、フェースプレートがブナやパーシモンのような木材からなる中空のゴルフクラブヘッドを開示している。このフェースプレートは木面が打撃プレートにおける端で縦になって存在している。
【０００６】
Thompson の米国特許第4,877,249号は、層状の上部表面とキールを持つソールを採用したウッドゴルフクラブヘッドを開示している。層状体を強化し、また、予期せぬ硬い物体と衝突したときに、層状体が剥がれないようにするため、クラブヘッドのクラウンを通してボルトが挿入され、キール部分でソールに連結され層状体を圧縮するように締めるようにしている。
【０００７】
Sunの米国特許第4,872,685号は、雄部材に雌部材を嵌めて単一のゴルフクラブヘッドを形成するようにしたウッドタイプのゴルフクラブヘッドを開示している。雌部材はゴルフクラブヘッドの上部を有し、好ましくは、プラスチック、合金又は木材からなる。雄部材はソールプレート、打撃プレートからなるフェースインサート及び重りの構造体を含む。雄部材は実質的により重い部材で好ましくは軽量金属からなる。これらの部材は、互いに合わされて接着されるか、又は機械的に合体される。
【０００８】
Katayamaの米国特許第5,398,935号は、ゴルフクラブヘッドのトオ側の打撃面の高さがクラブヘッドの中央部の打撃面の高さと略等しいか、これより大きいような打撃面を有するウッドタイプのゴルフクラブヘッドを開示している。
【０００９】
Matternの米国特許第1,780,625号は、後部がマグネシウムのような軽量金属からなるクラブヘッドを開示している。Butchart の米国特許第1,638,916号は、パーシモンのような木材からなるバランス材と、このバランス材に取り付けられたアルミニウムからなるシェル状のボディを持つゴルフクラブを開示している。
【００１０】
Andreson の米国特許第5024437, 5094383,
5255918, 5261663 及び5261664 号は、全体が鋳造材料からなるボディと高温鍛造金属材料からなるフェースインサートからなるゴルフクラブヘッドを開示している。
【００１１】
Viste の米国特許第5,282,624号は、鋳造金属ボディと、外面と内面に溝を持ち、また、3mmの厚さを持つ鍛造スチールのフェースインサートを持つゴルフクラブヘッドを開示している。
【００１２】
Rogersの米国特許第3,970,236号は、鋳造のアイアンボディに溶融結合した形成された金属フェースプレートを持つアイアンクラブヘッドを開示している。
【００１３】
Aizawa の米国特許第薄い金属フィルム層を持つ繊維で強化された樹脂のボディを有するゴルフクラブヘッドを開示している。
【００１４】
Yamadaの米国特許第4,535,990号は、ポリカーボネートのような材料のフェースインサートを持つファイバーで強化された樹脂ボディを持つゴルフクラブヘッドを開示している。
【００１５】
Aizawa 他の米国特許第5,465,968号は、ベリリウムのフェースプレートを有するファイバーにより強化された樹脂ボディを持つゴルフクラブヘッドを開示している。
【００１６】
これらの先行技術は複数材料からなる多くのクラブヘッドを開示しているが、これらの先行技術は、高い反発係数と代表的なゴルファーに恩恵をもたらす複数材料からなるクラブヘッドを提供することに成功していない。
【００１７】
発明の概要
本発明の一つの態様は、マグネシウム合金やアルミニウム合金のような軽金属からなるボディと、金属製打撃プレートインサート及びゴルフクラブヘッドの慣性モーメントをより大きくするための後部重り部材を有するゴルフクラブヘッドである。
【００１８】
本発明の他の態様は、４５０立方センチメートルより小さい体積と、１９０グラム〜２２５グラムの範囲の質量と、３０００g-cm2より大きいゴルフクラブヘッドの重心を通るIzz軸の回りの慣性モーメントと、３０００３０００g-cm2より大きいゴルフクラブヘッドの重心を通るIyy軸の回りの慣性モーメントを持つゴルフクラブヘッドである。
【発明を実施するための最良の形態】
【００１９】
好ましい実施例のゴルフクラブヘッドが全体として２０で表示され、図１−１０に示されている。本発明の他の実施例のゴルフクラブヘッドが図１１−１９に示されている。ゴルフクラブヘッド２０は、好ましくは、ボディ全体２２，打撃プレートインサート４０及び後部重り部材５０を含む。本発明のゴルフクラブヘッド２０は、ゴルフボールを打ったとき、許容性のために、重心，“ＧＣ”，の回りの慣性モーメントをより大きくし、より大きい飛距離を与える高い反発係数を持っている。
【００２０】
ボディ全体２２は、好ましくは、クラウン２４，ソール２６，リボン２８，開口３２を持つ正面壁３０及び好ましくは凹所３３を有している。リボン２８は、好ましくは、打撃プレートインサート４０の反対側にアフト凹所５２を有している。ボディ２２は、図示されてはないが、好ましくは、内部が中空となっている。ゴルフクラブヘッド２０はヒールエンド３６，トオエンド３８及びアフトエンド３７を有する。ボディ全体２２は、好ましくは、低密度金属材料、好ましくは、マグネシウム合金、アルミニウム合金、マグネシウム又はアルミニウムからなる。例えば、マグネシウム合金は、Phillips Plastics Corporation より、AZ-91-D（公称組成がアルミニウム、亜鉛及びマンガンを含有するマグネシウム）、AM-60-B（公称組成がアルミニウムとマンガンを含有するマグネシウム）及びAM-50-A（公称組成がアルミニウムとマンガンを含有するマグネシウム）のブランドで入手できる。ボディ２２は、好ましくは、金属注入成形により製造される。これとは別に、ボディ全体２２は鋳造、成形、機械加工、粉末金属成形、電気化学切削等のより製造される。
【００２１】
これとは別に、ボディ全体２２は、非金属材料、好ましくは、連続ファイバープリプレグ（熱硬化性材料又は熱可塑性材料の樹脂を含む）のような複合材料からなる。ボディ全体２２の他の材料には、注入可能なプラスチックなような熱硬化性材料又は熱可塑性材料が含まれる。非金属のボディ全体２２は、好ましくは、ブラダー成形、樹脂トランスファー成形、樹脂インフージョン、注入成形、加圧成形、又は同様な方法により製造される。
【００２２】
打撃プレートインサート４０はボディ全体２２の前面壁３０の開口３２を覆うようにして取り付けられる。好ましくは、打撃プレートインサート４０は前面壁３０の凹部３３上に取り付けられる。
【００２３】
打撃プレートインサート４０は、好ましくは、成形金属材料からなる。しかしながら、これに替えて、打撃プレートインサート４０は機械加工された金属材料、鍛造金属材料、鋳造金属材料などから成るようにしてもよい。打撃プレート材料４０は、好ましくは、成形チタニウム又はスチール材料から成る。好ましい材料は、熱処理され、窒化チタン又は同様な材料でコーティングを施したスチール４３４０である。打撃プレートインサートに好適なチタニウム材料は、純粋のチタニウム及び6-4チタニウム合金、SP-700チタニウム合金（日本、東京のNippon Steel から入手できる）、日本、東京のDiado Steel から入手できるDAT55Gチタニウム合金、オハイオのRTI International Metal から入手できるTi 10-2-3 Beta-C チタニウム合金を含む。打撃プレートインサート４０のための他の金属には、他の高強度スチール合金及びアモルファス金属が含まれる。このスチール材料には、ペンシルバニアのCarpenter Specialty Alloy から入手できる17-4PH, Custom 450,455,465,及び465+ステンレススチール、AERMET
100 及びAERMET 310合金スチール、及びノースカロライナのAllavec から入手できるC35マルエージスチールが含まれる。このような、アモルファス金属には、ここに関連部分を参照として組み入れられる米国特許第5,288,344号に開示されるベリリウムを基材とする合金、米国特許第5,735,975号に開示されているような、クイナリ金属グラス合金が含まれる。
【００２４】
好ましくは、アモルファス金属からなる打撃プレートインサート４０はヤング率が、好ましくは８０ギガ−パスカル（“Gpa”）から１２０Gpa、最も好ましくは、９０Gpaから１００Gpaである。
【００２５】
このようなアモルファス金属には、アモルファス金属をベースとする鉄、ニッケル、コバルト及びクロムが含まれ、これらは密度が８グラム／立方センチメートル（“g/cc”）から１０g/ccの範囲である。他のアモルファス金属には、アモルファス金属をベースとするマグネシウム、ジルコニウム、チタニウム及びアルミニウムが含まれ、これらの密度は、２g/ccから６g/ccの範囲である。特別のアモルファス金属には、Ｚｒ４１．２Ｔｉ３．８Ｎｉ１２．５Ｂｅ２２．５Ｚｒ６０Ａｌ１５Ｃｏ２．５Ｎｉ７．５Ｃｕ５（硬さが１３６０，密度が６．５g/cc、及び弾性係数が９１Gpaである）；Ｆｅ７２Ａｌ５Ｇａ２Ｐ１０Ｃ６Ｂ４Ｓｉ１（硬さが１２５０）；Ｃｕ６０Ｚｒ３０Ｔｉ１０（硬さが約７００，弾性係数が１１２−１３４Gpa）；Ｃｕ６０Ｈｆ３０Ｔｉ１０（硬さが約７００，弾性係数が１１２−１３４Gpa）；Ｍｇ８０Ｃｕ１０Ｙ１０（硬さが２２０）が含まれる。当業者であれば、本発明の範囲と精神を離れない範囲において、他のアモルファス金属が使用できることを理解するであろう。
【００２６】
アモルファス金属から部品全体を製造するための、真空ダイキャスティング、パーマネントモールドキャスティング及び高温シート材料形成のような方法は当業者においては知られており、このような方法は、本発明の打撃プレートインサート４０を製造する方法に使用することができる。アモルファス金属の製造方法は、米国特許第5,797,443号、米国特許第5,896,642号、米国特許第5,711,363号、及び米国特許第6,021,840号に開示されており、これらの関連部分はここに参照として組み入れられる。
【００２７】
好ましい実施例においては、打撃プレートインサート４０は、厚さが０．０４０インチから０．２５０インチ、より好ましくは、０．０８０インチから０．１２０インチであり、最も好ましくは、チタニウム合金打撃プレートインサート４０に対しては０．１０８インチ、ステンレススチール打撃プレートインサート４０に対しては、０．０９０インチ、４３４０スチール打撃プレートインサート４０に対しては０．０７５インチである。好ましい実施例においては、打撃プレートインサートは、均一な厚さを有している。他の実施例においては、打撃プレートインサートは、ここにこれらの全てが参照として組み入れられる、米国特許第5,803,824号、米国特許第6,368,234号、又は米国特許第6,398,666号に開示されているような、異なる厚さ有するフェースを持つ。打撃プレートインサート４０の外面４０ａは、代表的には、その上に複数のスコアラインを有している。打撃プレートインサート４０は、好ましくは、ボディ２２と共に成形するか、或いは、ボディ２２の製造に続いて開口内に圧入嵌合される。他の取り付け方法において、打撃プレートインサート４０は、正面壁３０の凹所部分３３に接着剤を使用して固着される。接着剤は凹所部分３３の外面に施される。このような接着剤には、液体又はフィルム媒体の熱可塑性の接着剤が含まれる。
【００２８】
クラウン２４，ソール２６，及びリボン２８は、好ましくは、０．０１０インチから０．１００インチの範囲の厚さ、より好ましくは０．０２５インチから０．０７０インチの範囲、より好ましくは、０．０２８インチから０．０４０インチ、最も好ましくは０．０３３インチの厚さを有する。前面壁３０は、好ましくは、クラウン２４，ソール２６及びエイボン２８より大きい厚さを持つ。前面壁３０の厚さは、好ましくは、開口３２の位置の最大の厚さから前面壁３０からクラウン２４、ソール２６及びリボン２８への境界部分の最小の厚さとテーパ状になっている。好ましい例においては、前面壁３００は開口部において０．３５０インチの厚さを有し、クラウン２４，ソール２３６及びリボン２８において０．０３３インチの厚さを有している。前面壁３０の厚さは、好ましくは、０．５０インチから１．０インチの長さの範囲の境界領域に沿って最小の厚さにテーパ状に減少していく。前面壁の最大の厚さは、好ましくは、０．１００から０．４５０インチ、より好ましくは、０．２５０インチから０．４００インチ、さらに好ましくは、０．３００インチから０．３７５インチ、最も好ましくは前面壁３０は０．３５０インチの最大の厚さを有する。
【００２９】
図９及び１０は、クラブヘッド２０の中空内部３４を最良に示している。図９と１０に示されるように、前面壁３０の凹所部分３３は打撃プレートインサート４０をその上に取り付けるための支持部を形成する開口３２を囲んでいる。前面壁３０は、好ましくは、打撃プレートインサート４０の周囲と係合する肩部３５を有している。前面壁３０の凹所部分３３の厚さは、好ましくは、クラウン２４，ソール２６及びリボン２８より厚い。
【００３０】
図９と１０に示されるように、中空内部３４内に位置し、ゴルフクラブヘッド２０のヒールエンド３６の近傍にあるホーゼル６０が存在する。ホーゼル６０は、好ましくは、アルミニウム材料からなり、好ましくは３から１０グラム、より好ましくは４から８グラムの範囲、最も好ましくは６グラムの質量を有する。これとは別に、ゴルフクラブヘッド２０は、クラウン２４のヒールエンド３６から上方に突出する外部ホーゼルを持つ。
【００３１】
図９と１０には、また、アフト凹所５２の壁が存在する。アフト凹所５２は、好ましくは、中空内部３４内に延びている。アフト凹所５２は、好ましくは、上部凹所壁５４と下部凹所壁５８によって画成される。後部重り部材５０は、図３に示されるように、アフト凹所５２内に配置される。
【００３２】
後部重り部材５０は、好ましくは、スピン鋳造ピュータ、スチール、スチール合金、真鍮、タングステン、タングステン合金、又は他の高密度材料から成る。この後部重り部材５０は、好ましくは、ボディ２２と共に成形されるか、ボディ２２の製造後に凹所５２内に圧入嵌合される。他の取り付け法では、後部重り部材５０は、アフト凹所５２内に接着剤により固着される。接着剤は、凹所５２を画成する壁部５４と５８の外面に塗布される。この接着剤には、液体又はフィルム媒体の熱硬化性の接着剤が含まれる。
【００３３】
図９と１０は、また、本発明によるゴルフクラブヘッド２０の好ましい製造方法を示している。この好ましい方法は、第１ボディ８０と第２ボディ８５を使用している。好ましくは、第１ボディ８０は、クラウン２４，リボン２８の一部、前面壁３０の一部、開口３２の一部及びアフト凹所５２の一部から成る。好ましくは、第２ボディ８５は、ソール２６，リボン２８の一部、前面壁３０の一部、開口３２の一部及びアフト凹所５２の一部から成る。好ましくは、第１ボディは第１エッジ９０を有し、第２ボディ８５は第２エッジ９２を有している。好ましくは、第１エッジ９０と第２エッジ９２は整列しており、ボディ２２がマグネシウム合金又はアルミニウム合金のような金属で出来ている場合には、上述のような接着剤を使用して一緒に固着される。このような製造方法においては、後部重り部材５０及び打撃プレートインサート４０は接着の過程において嵌合され、固着される。
【００３４】
図１１―１８に示された実施例においては、前面壁は、好ましくは２．５インチから４．０インチの範囲の幅”Wo” 、最も好ましくは３．４インチの幅Woを持つ開口３２を有している。また、この開口は、好ましくは１．５インチから２．７インチの範囲、最も好ましくは２．０インチの高さ”Ho”を有している。打撃プレートインサート４０は、好ましくは高さと幅が同じサイズとされる。
【００３５】
図１６ｔｏ１６Aに示されるように、第１ボディ８０は、好ましくは、クラウン２４，上部前面壁３０ｂ、上部開口３２ｂ及び上部リボン２８ｂを含んでいる。クラウン２４は、好ましくは、クラウン２４の全体より大きい厚さを持つ厚くされた部分２４ｚを有している。好ましい実施例においては、厚い部分２４ｚは、クラウン全体の厚みより、０．０１０インチから０．０５０インチだけ厚くなっており、クラウン２４の全体の厚さは０．０４０インチである。好ましくは、この実施例の第１ボディ８０は、マグネシウム合金ＡＺ−９１−Ｄ（公称、アルミニウム、亜鉛及びマンガンを含むマグネシウム）から成る。
【００３６】
図１７，１７Ａに示されるように、第２ボディ８５は、好ましくは、ソール２６，下部前面壁３０ａ、下部開口３２ａ、下部リボン２８ａ、及びアフト凹所５２を含む。更に、第２ボディ８５は内側壁１０５を含む。内部のソール表面２６ａは図１７Ａに示されており、ホーゼルベース６４は内部のソール表面２６ａより上方に延びている。好ましくは、本実施例の第２ボディ８５はマグネシウム合金ＡＭ−６０−Ｂ（公称、アルミニウムとマンガンを含むマグネシウム）からなる。図１９に示されるように、本実施例のソール２６は、図１７Ａに示される内部ソール面２６ａの凹みとしての中間リッジ１２６を持つ。
【００３７】
図１８に示されるように、第１ボディ８０は第２ボディ８５に合わされて接着される。第２ボディ８５の内壁１０５は、図１５Ａに示されるように、第１ボディ８０内に配置される。内壁１０５と第１ボディの重なりは０．０７０インチ０．１５０インチの範囲、より好ましくは０．０９０インチから０．１２０インチの範囲、最も好ましくは０．１０６インチである。内壁１０５と第１ボディ８０の内面との間の接着間隙１１０は、０．００２インチから０．０２５インチの範囲、より好ましくは０．００５インチから０．０１０インチ、最も好ましくは０．００７インチである。第１ボディ８０のエッジ９０は選択的に逃げ溝１１２を有する。好ましくは、前述したような接着剤が、第１ボディ８０と第２ボディを接合するために、第１ボディ８０及び第２ボディ８５のエッジ９０、９２に施され、また、内壁１０５の外面に施される。
【００３８】
本発明は、高反発係数を持ち、これにより本発明によるゴルフクラブで打つゴルフボールの飛距離をより大きくすることができるゴルフクラブヘッドを指向するものである。反発係数（ここでは、また”COR”とも呼ばれる）は下記の式で定義される：
ｅ＝（ν１−ν２）／（Ｕ１−Ｕ２）
ここで、Ｕ１はインパクト前のクラブヘッドの速度；Ｕ２はインパクト前のゴルフボール速度でゼロ；ν１はクラブヘッドのフェースからゴルフボールが離れたときのクラブヘッドの速度；ν２はクラブヘッドのフェースからゴルフボールが離れたときのゴルフボールの速度；ｅはゴルフボールとクラブフェースとの間の反発係数である。
【００３９】
ｅの値はエネルギーの追加がない系においてはゼロから１．０の間に制限される。反発係数ｅは柔らかいクレイや粘土のような材料についてはゼロに近く、一方、完全弾性体の材料ではｅは１．０となる。本発明は、通常のテスト条件で測定した場合の０．７０から０．９４の範囲の反発係数を持つゴルフクラブヘッド２０を提供するものである。
【００４０】
本発明によるゴルフクラブヘッド２０の与えられたボールでＵＳＧＡのテスト条件で行った反発係数は、略、０．８０から０．９４の範囲で、より好ましくは０．８２から０．８９の範囲、最も好ましくは０．８６である。
【００４１】
本発明のゴルフクラブヘッド２０の体積は、２５０立方センチメートルから６００立方センチメートルの範囲、より好ましくは３３０立方センチメートルから５００立方センチメートルの範囲、さらに好ましくは３６０立方センチメートルから４５０立方センチメートル、最も好ましくは４２０立方センチメートルである。ゴルフクラブヘッド２０の体積は、また、フェアウェイウッド（好ましくは３番ウッドから１１番ウッドの範囲）の間では少しずつ変化し、また、ドライバーはフェアウェイウッドより大きな体積を有する。
【００４２】
本発明のゴルフクラブヘッド２０の質量は、好ましくは１６５グラムから３００グラムの範囲、より好ましくは１７５グラムから２５０グラムの範囲、さらに好ましくは１９０グラムから２２５グラム、最も好ましくは１９６グラムである。打撃プレートインサート４０は、好ましくは、４０グラムから９０グラムの範囲、より好ましくは５０グラムから８０グラムの範囲、さらに好ましくは５５グラムから７５グラム、最も好ましくは６５グラムの質量を持つ。ボディ２２（重り無し）の質量は、好ましくは３０グラムから１００グラムの範囲、より好ましくは４０グラムから９０グラム、さらに好ましくは６０グラムから８０グラム、最も好ましくは７０グラムである。アフト重り部材５０の質量は、好ましくは３０グラムから９０グラムの範囲、より好ましくは４０グラムから７０グラム、最も好ましくは５５グラムである。ホーゼル６０の質量は、好ましくは１０グラムから１５グラムの範囲、より好ましくは１３グラムである。更に、エポキシ、又は他の流動性材料が、０．５グラムから５グラムの範囲の量で、ゴルフクラブヘッド２０の中空内部３４に注入され、所望の重量とされる。
【００４３】
第１の実施例の図５、６及び第２の実施例の図１１，１２に示されるように、打撃プレートインサート４０からクラウン２４のアフトエンド３７までのゴルフクラブヘッド２０の深さ”D”は、好ましくは３．０インチから４．５インチの範囲、最も好ましくは３．７４インチである。アドレス位置におけるソール２６からクラウン２４までを測定したゴルフクラブヘッド２０の高さ”H”は、好ましくは２．０インチから３．５インチ、より好ましいくは２．６２インチである。トオエンド３８からヒールエンド３６までのゴルフクラブヘッド２０の幅”W”は、好ましくは４．０インチから５．５インチの範囲、より好ましくは４．５７インチである。図１に示されているように、打撃プレートインサート４０の高さ”h”は、好ましくは１．８インチから２．５インチの範囲、最も好ましくは２．０８インチである。打撃プレートインサートのトオエンドからヒールエンドまでの幅”w”は、３．０インチから５．０インチの範囲、より好ましくは３．５２インチえある。好ましい実施例においては、ここに全体を参照として組み入れられる米国特許第6,569,033号に開示されているようなアスペクト比を持つ。
【００４４】
図７及び８は、ゴルフクラブヘッドの重心を通る慣性モーメントの軸を示している。慣性軸はＸ，Ｙ及びＺで示される。Ｘ軸は打撃プレートインサート４０から重心ＣＧを通り、ゴルフクラブヘッド２０の後部に延びる。Ｙ軸は、ゴルフクラブヘッド２０のトオエンド３８から重心ＧＣを通り、ゴルフクラブヘッド２０のヒールエンドに延びる。Ｚ軸は、クラウン２４から重心ＣＧを通り、ソール２６に延びる。
【００４５】
ゴルフクラブヘッド２０の重心と慣性モーメントは、好ましくは、テスト座標（ＸＴ，ＹＴ，ＺＴ）を使用し、ヘッド座標（ＸＨ，ＹＨ，ＺＨ）に変換する。ゴルフクラブヘッドの重心は、ここに参照として全体が組み入れられる米国特許第6,607,452
号に記載されるような、二つの重量スケールを持つ重心テーブルを使用して得ることができる。もし、シャフトがあれば、それを取り除き、ゴルフクラブヘッドの軸に対して垂直な多面を持つホーゼルキューブと置き換える。ゴルフクラブヘッドの重量が与えられ、ゴルフクラブヘッドを両方のスケール上に同時に置き、特定の方向Ｘ，Ｙ，Ｚに沿って計ると、スケールによってゴルフクラブヘッドの重量分布を決定することができる。
【００４６】
一般的に、本発明のゴルフクラブヘッド２０のＺ軸の周りの慣性モーメントIzzは、２８００ｇ-ｃｍ２−５０００ｇ-ｃｍ２の範囲、好ましくは３０００ｇ-ｃｍ２−４５００ｇ-ｃｍ２、より好ましくは、３２００ｇ-ｃｍ２−４０００ｇ-ｃｍ２、最も好ましくは３７５８ｇ-ｃｍ２である。本発明のゴルフクラブヘッド２０のＹ軸の周りの慣性モーメントIｙｙは、１５００ｇ-ｃｍ２−４０００ｇ-ｃｍ２の範囲、好ましくは２５００ｇ-ｃｍ２−３４００ｇ-ｃｍ２、より好ましくは、２９００ｇ-ｃｍ２−３１００ｇ-ｃｍ２、最も好ましくは３００３ｇ-ｃｍ２である。
【００４７】
更に、本発明のゴルフクラブヘッド２０は、ここに参照として全体が組み入れられる米国特許第6,425,8332号に開示されているような、優れた慣性モーメントを持つ。
【図面の簡単な説明】
【００４８】
【図１】本発明による好ましい実施例のゴルフクラブヘッドの正面斜視図である。
【図２】、図１のゴルフクラブヘッドの後方斜視図である。
【図３】図１のゴルフクラブヘッドの平面図である。
【図４】図１のゴルフクラブヘッドのヒール側側面図である。
【図５】図１のゴルフクラブヘッドの平面図で、ゴルフクラブヘッドの幅と深さを示す。
【図６】図１のゴルフクラブヘッドのヒール側側面図であり、ゴルフクラブヘッドの高さを示す。
【図７】図１のゴルフクラブヘッドの平面図で、ゴルフクラブヘッドの重心を通るＸ軸及びＹ軸を示す。
【図８】図１のゴルフクラブヘッドを示し、ゴルフクラブヘッドの重心を通るＺ軸及びＸ軸を示す。
【図９】本発明の好ましい実施例のゴルフクラブヘッドの底部分解図である。
【図１０】本発明の好ましい実施例のゴルフクラブヘッドの頂部分解図である。
【図１１】本発明の他の実施例のゴルフクラブヘッドの平面図である。
【図１２】図１１のゴルフクラブヘッドの正面図である。
【図１３】図１１のゴルフクラブヘッドの打撃プレートインサートを除いた図である。
【図１４】図１３のゴルフクラブヘッドの正面図である。
【図１５】図１４の線１５−１５の断面図である。
【図１５Ａ】図１５の円の部分の拡大図である。
【図１６】図１１のゴルフクラブヘッドの第１のボディの部分側面図である。
【図１６Ａ】図１６の第１のボディの底面図である。
【図１６Ｂ】図１６の第１のボディの正面図である。
【図１７】図１１のゴルフクラブヘッドの第２のボディの部分側面図である。
【図１７Ａ】図１７の第２のボディの底面図である。
【図１７Ｂ】図１７の第２のボディの正面図である。
【図１８】図１１のゴルフクラブヘッドの分解図である。
【図１９】図１１のゴルフクラブヘッドの底面図である。
【図１】
2008501405.tif 000003
【図２】
2008501405.tif 000004
【図３】
2008501405.tif 000005
【図４】
2008501405.tif 000006
【図５】
2008501405.tif 000007
【図６】
2008501405.tif 000008
【図７】
2008501405.tif 000009
【図８】
2008501405.tif 000010
【図９】
2008501405.tif 000011
【図１０】
2008501405.tif 000012
【図１１】
2008501405.tif 000013
【図１２】
2008501405.tif 000014
【図１３】
2008501405.tif 000015
【図１４】
2008501405.tif 000016
【図１５】
2008501405.tif 000017
【図１５Ａ】
2008501405.tif 000018
【図１６】
2008501405.tif 000019
【図１６Ａ】
2008501405.tif 000020
【図１６Ｂ】
2008501405.tif 000021
【図１７】
2008501405.tif 000022
【図１７Ａ】
2008501405.tif 000023
【図１７Ｂ】
2008501405.tif 000024
【図１８】
2008501405.tif 000025
【図１９】
2008501405.tif 000026
【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
クラウンと、ソールと、開口を有する前面壁と、開口と反対側の外部凹所を持つリボンとを有し、マグネシウム合金、アルミニウム合金、マグネシウム及びアルミニウムから成る群から選択される金属材料から成るボディと；
前記開口に配置される打撃プレートインサートであって、厚さが０．０４０インチから０．２５０インチの範囲であり、６０グラムから１００グラムの範囲の質量を有する打撃プレートインサートと；
前記リボンの凹所内に配置され、質量が５グラムから４０グラムの範囲にあり、金属材料からなる重り部材を有し；
体積が３３０立方センチメートルから５００立方センチメートルの範囲にある、
ゴルフクラブヘッド。
【国際調査報告】
2008501405.tif 000027